(57)【要約】    【課題】ＨＤＤなどに記録される音楽データに対して属性データを設定するときに、楽曲の内容を人が判断することなく、手間をかけずにその属性を決定することができる装置を提供する。    【解決手段】属性データベース１３２において属性データを検索した結果、いずれかの楽曲について該当する属性データが検索されなかった場合は、タイトルデータが表すタイトル情報から特定の属性を連想させる単語をキーワードとして抽出し、楽曲属性付与部１１１に対して出力する。楽曲属性付与部１１１では、そのキーワードに応じて各楽曲の属性を決定し、適切な属性データを付与してＨＤＤ１３に出力する。この属性データをＨＤＤ１３において情報保存エリアに楽曲ごとに記録する。【選択図】図３
2006331496.tif 000002
【特許請求の範囲】
【請求項１】
楽曲を再生するための音楽データと、前記音楽データにより再生される楽曲に関する付加データとが記録された記録媒体から、前記音楽データおよび付加データを読み込む読み込み手段と、
前記読み込み手段によって読み込まれた音楽データにより再生される楽曲の属性を、前記読み込み手段によって読み込まれた付加データに基づいて決定する属性決定手段と、
前記属性決定手段により決定された属性を表すための属性データを、前記読み込まれた音楽データに対して付与する属性付与手段と、
前記読み込まれた音楽データと、前記属性付与手段によりその音楽データに対して付与された属性データとを、楽曲単位で記憶保持する記憶保持手段と、
前記記憶保持手段により記憶保持された属性データに基づいて、再生すべき楽曲を選択する楽曲選択手段と、
前記記憶保持手段により記憶保持された音楽データに基づいて、前記楽曲選択手段により選択された楽曲を再生出力する再生出力手段とを備えることを特徴とする音楽記憶再生装置。
【請求項２】
請求項１の音楽記憶再生装置において、
前記読み込み手段によって読み込まれた付加データに基づいて、前記音楽データにより再生される楽曲のアーティスト名、トラック名またはアルバム名のいずれか少なくとも一つを含むタイトル情報を取得するタイトル情報取得手段をさらに備え、
前記属性決定手段は、前記タイトル情報取得手段により取得されたタイトル情報に特定の属性を連想させる予め設定されたキーワードが含まれる場合、そのキーワードに基づいて、前記読み込まれた音楽データにより再生される楽曲の属性を決定することを特徴とする音楽記憶再生装置。
【請求項３】
請求項２の音楽記憶再生装置において、
前記キーワードには、特定の季節を連想させる単語が含まれることを特徴とする音楽記憶再生装置。
【請求項４】
請求項１〜３いずれか一項の音楽記憶再生装置において、
各種の楽曲についての属性データが予め記録されたデータベース手段をさらに備え、
前記属性付与手段は、前記読み込まれた音楽データのうち、その音楽データにより再生される楽曲についての属性データが前記データベース手段において記録されている音楽データに対しては、前記データベース手段に記録されている属性データを付与し、
前記読み込まれた音楽データのうち、その音楽データにより再生される楽曲についての属性データが前記データベース手段において記録されていない音楽データに対しては、前記属性決定手段により決定された属性に応じた属性データを付与することを特徴とする音楽記憶再生装置。
【請求項５】
請求項１〜４いずれか一項の音楽記憶再生装置と、
自車両の現在地を検出する現在地検出手段、および地図データを記憶する地図記憶手段を有するナビゲーション装置とを備えた車載情報端末において、
前記楽曲選択手段は、前記現在地検出手段により検出された自車両の現在地と、前記地図データとを照合することにより、自車両が特定の属性を有する地点に位置しているか否かを判断し、
特定の属性を有する地点に位置していると判断した場合は、その特定の属性と前記記憶保持された属性データとに基づいて、再生すべき楽曲を選択することを特徴とする車載情報端末。
【請求項６】
請求項５の車載情報端末において、
前記特定の属性を有する地点には、特定の地理的・地域的特徴を有する地点、または特定の道路上の地点のいずれか少なくとも一方が含まれることを特徴とする車載情報端末。
【発明の詳細な説明】
【技術分野】
【０００１】
本発明は、音楽データをハードディスクに記録しておき、必要に応じて再生出力する機能を備えた音楽記憶再生装置および車載情報端末に関する。
【背景技術】
【０００２】
ハードディスク（ＨＤＤ）に各種の楽曲を記録しておき、記録された各楽曲ごとに設定された属性を利用して、ユーザの希望に沿った楽曲をＨＤＤから検索して自動的に再生する装置が知られている（特許文献１）。
【０００３】
【特許文献１】特開２００４−２１２５８８号公報
【発明の開示】
【発明が解決しようとする課題】
【０００４】
特許文献１に開示される装置では、楽曲データと属性データは外部のホストサーバに予め記録されており、そのホストサーバから各装置へと配信される。ホストサーバを管理している楽曲の配信事業者は、新たな配信用の楽曲データをホストサーバに登録するときには、楽曲の内容を人が判断してその属性を決定し、属性データを登録することになるため、手間がかかっている。
【課題を解決するための手段】
【０００５】
請求項１の発明による音楽記憶再生装置は、楽曲を再生するための音楽データと、音楽データにより再生される楽曲に関する付加データとが記録された記録媒体から、音楽データおよび付加データを読み込む読み込み手段と、読み込み手段によって読み込まれた音楽データにより再生される楽曲の属性を、読み込み手段によって読み込まれた付加データに基づいて決定する属性決定手段と、属性決定手段により決定された属性を表すための属性データを、読み込まれた音楽データに対して付与する属性付与手段と、読み込まれた音楽データと、属性付与手段によりその音楽データに対して付与された属性データとを、楽曲単位で記憶保持する記憶保持手段と、記憶保持手段により記憶保持された属性データに基づいて、再生すべき楽曲を選択する楽曲選択手段と、記憶保持手段により記憶保持された音楽データに基づいて、楽曲選択手段により選択された楽曲を再生出力する再生出力手段とを備えるものである。
請求項２の発明は、請求項１の音楽記憶再生装置において、読み込み手段によって読み込まれた付加データに基づいて、音楽データにより再生される楽曲のアーティスト名、トラック名またはアルバム名のいずれか少なくとも一つを含むタイトル情報を取得するタイトル情報取得手段をさらに備え、属性決定手段は、タイトル情報取得手段により取得されたタイトル情報に特定の属性を連想させる予め設定されたキーワードが含まれる場合、そのキーワードに基づいて、読み込まれた音楽データにより再生される楽曲の属性を決定するものである。
請求項３の発明は、請求項２の音楽記憶再生装置において、キーワードには、特定の季節を連想させる単語が含まれることとするものである。
請求項４の発明は、請求項１〜３いずれか一項の音楽記憶再生装置において、各種の楽曲についての属性データが予め記録されたデータベース手段をさらに備え、属性付与手段は、読み込まれた音楽データのうち、その音楽データにより再生される楽曲についての属性データがデータベース手段において記録されている音楽データに対しては、データベース手段に記録されている属性データを付与し、読み込まれた音楽データのうち、その音楽データにより再生される楽曲についての属性データがデータベース手段において記録されていない音楽データに対しては、属性決定手段により決定された属性に応じた属性データを付与するものである。
請求項５の発明は、請求項１〜４いずれか一項の音楽記憶再生装置と、自車両の現在地を検出する現在地検出手段、および地図データを記憶する地図記憶手段を有するナビゲーション装置とを備えた車載情報端末において、楽曲選択手段は、現在地検出手段により検出された自車両の現在地と、地図データとを照合することにより、自車両が特定の属性を有する地点に位置しているか否かを判断し、特定の属性を有する地点に位置していると判断した場合は、その特定の属性と記憶保持された属性データとに基づいて、再生すべき楽曲を選択するものである。
請求項６の発明は、請求項５の車載情報端末において、特定の属性を有する地点には、特定の地理的・地域的特徴を有する地点、または特定の道路上の地点のいずれか少なくとも一方が含まれることとするものである。
【発明の効果】
【０００６】
本発明によれば、ＨＤＤなどに記録される音楽データに対して属性データを設定するときに、楽曲の内容を人が判断することなく、手間をかけずにその属性を決定することができる。
【発明を実施するための最良の形態】
【０００７】
本発明の一実施形態による音楽データ記憶再生機能付き車載ナビゲーション装置の構成を図１に示す。このナビゲーション装置１は、出発地から目的地までの推奨経路を地図上に表示して車両を目的地まで案内する一般的なナビゲーション機能を有している。さらに加えて、音楽ＣＤに記録された音楽データを取り込んで記憶保持しておき、必要に応じて再生出力する音楽データの記憶再生機能も有している。図１に示すように、ナビゲーション装置１はナビゲーション部１０、音楽データ記録再生部１１、モニタ１２、ＨＤＤ１３、およびＣＤ／ＤＶＤドライブ１４を有している。音楽データ記録再生部１１には、入力された音声信号を不図示のスピーカへ出力することによって音声を出力するためのオーディオ装置２が接続されている。
【０００８】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１２に車両を目的地まで誘導するための地図表示などを行うことで、ナビゲーション装置１においてナビゲーション機能が実現される。
【０００９】
上記のように、入力操作部１０３を操作して目的地を設定することで、ユーザはナビゲーション装置１に対してナビゲーション機能の実行を要求することができる。さらにユーザは、入力操作部１０３の操作により、音楽データの記録再生機能の実行をナビゲーション装置１に対して要求することもできる。音楽データの記録再生機能の要求がユーザによって行われると、その要求内容は音楽データ記録再生部１１に通知される。なお、入力操作部１０３としては、たとえばモニタ１２と一体化されたタッチパネルや、リモコンなどを用いることができる。
【００１０】
音楽データ記録再生部１１は、ユーザからの要求に応じて音楽データの記録再生処理を実行するための構成部分であり、楽曲属性付与部１１１、制御部１１２および再生出力部１１３を有している。音楽データの記録を行う場合には、制御部１１２においてＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１１】
音楽ＣＤには、楽曲を再生するための音楽データとして、各楽曲の音声信号波形をそれぞれデータ化して表した音声データが書き込まれている。この各楽曲の音声データが、ＣＤ／ＤＶＤドライブ１４によって音楽ＣＤから読み込まれ、ＨＤＤ１３に書き込まれる。さらに音声データがＨＤＤ１３に書き込まれる際には、その各楽曲のタイトルデータと属性データも一緒に記録される。タイトルデータは、各楽曲の曲名（トラック名）やアルバム名、アーティスト名などのタイトル情報を表すデータであり、これに基づいて再生中の楽曲のタイトル情報がモニタ１２に表示される。属性データは、各楽曲の属性を表すデータであり、これに基づいて、後で説明する自動選曲モードにおいて、そのときの状況に適した楽曲が自動的に選択されて再生出力される。なお、ＨＤＤ１３に記録されるタイトルデータと属性データの内容は、音楽ＣＤに記録されているＴＯＣ（Table Of Contents）と呼ばれる付加データに基づいて決められるが、これについては後で説明する。
【００１２】
音楽データの再生を行う場合には、前述のリッピング処理によってＨＤＤ１３に記録された音声データ、あるいは、ＣＤ／ＤＶＤドライブ１４にセットされた音楽ＣＤに記録された音声データのいずれかを、楽曲単位で再生することができる。制御部１１２においてＨＤＤ１３とＣＤ／ＤＶＤドライブ１４のいずれかを制御して音声データを読み込み、その音声データを再生出力部１１３において音声信号に変換することにより、オーディオ装置２に音声信号が出力されて、スピーカから音楽が再生出力される。なお、このとき音楽ＣＤの再生と並行してリッピング処理を行うこともできる。
【００１３】
楽曲属性付与部１１１は、音楽ＣＤからリッピングした音声データをＨＤＤ１３に記録するときに、各楽曲に対して前述の属性データを付与する。なお、ＨＤＤ１３に記録される属性データの内容は、この楽曲属性付与部１１１によって付与される場合と、予めＨＤＤ１３に記録されたデータベースによって決められる場合とがある。この点については、後で詳しく説明する。
【００１４】
ＨＤＤ１３において音楽データ（音声データ）を記録する際には、前述したように、その音声データが表す各楽曲のトラック名やアーティスト名などのタイトルデータも一緒に記録される。複数の楽曲を組み合わせたアルバム単位で音声データをＨＤＤ１３に記録することもでき、この場合には各楽曲のトラック名と共に、そのアルバム名もタイトルデータとして記録される。なお、アーティスト名、トラック名またはアルバム名のいずれか少なくとも一つを表すタイトルデータが音声データと共に記録されていればよく、全てが揃っていなくてもよい。
【００１５】
次に、音楽ＣＤからリッピングした音声データをＨＤＤ１３に記録する際のデータの流れについて説明する。図２は、音楽ＣＤに記録されているＴＯＣデータに基づいて、ＨＤＤ１３に記録されているデータベースからタイトルデータおよび属性データを取得して記録する場合のデータの流れを示している。なお、ＴＯＣデータには、その音楽ＣＤの楽曲数や演奏時間などの情報が記録されており、その内容は音楽ＣＤごとに固有である。
【００１６】
図２に示すように、ＨＤＤ１３にはタイトルデータベース１３１および属性データベース１３２が記録されている。タイトルデータベース１３１には、市販されている様々な音楽ＣＤにおける各楽曲のタイトルデータが予め記録されている。属性データベース１３２には、市販されている様々な音楽ＣＤのうちの一部について、その音楽ＣＤの各楽曲の属性データが予め記録されている。なお、これらのデータベースの内容は、ＨＤＤ１３において読み出しのみが可能であり、書き込みはできない記録領域（データベースエリア）に記録されている。
【００１７】
図１のＣＤ／ＤＶＤドライブ１４に音楽ＣＤ１４１がセットされると、音楽ＣＤ１４１に記録されたＴＯＣデータがナビゲーション装置１において読み込まれる。このＴＯＣデータに基づいて、タイトルデータベース１３１においてタイトルデータが検索されることにより、音楽ＣＤ１４１の各楽曲に対応するタイトルデータが取得される。こうして取得されたタイトルデータは、ＨＤＤ１３において読み出しと書き込みが可能な記録領域（情報保存エリア）に楽曲ごとに記録される。
【００１８】
また、タイトルデータベース１３１において検索された上記のタイトルデータに基づいて、音楽ＣＤ１４１の各楽曲に対応する属性データが属性データベース１３２において検索される。検索された属性データは、タイトルデータと同様に、ＨＤＤ１３の情報保存エリアに楽曲ごとに記録される。音声データは、音楽ＣＤ１４１から直接ＨＤＤ１３の情報保存エリアに記録される。以上説明したようにして、音声データ、タイトルデータおよび属性データがＨＤＤ１３に楽曲ごとに記録されることにより、これらのデータがＨＤＤ１３において記憶保持される。このようにして、ＣＤ／ＤＶＤドライブ１４にセットされた音楽ＣＤ１４１のリッピングが行われる。
【００１９】
ところで、属性データベース１３２には市販されている全ての音楽ＣＤについての属性データが記録されているとは限らない。そのため、ＣＤ／ＤＶＤドライブ１４にセットされた音楽ＣＤの各楽曲のうち、いずれか（あるいは全部）の楽曲については、その属性データが属性データベース１３２において記録されておらず、したがって上記に説明した方法では属性データが検索されない場合がある。このような場合は、タイトルデータベース１３１において検索されたタイトルデータから指定されるキーワードを用いて、その楽曲に該当する属性データを楽曲属性付与部１１１によって付与する。そのときのデータの流れを図３に示す。
【００２０】
図２と同様に、タイトルデータベース１３１において検索されたタイトルデータに基づいて、属性データベース１３２において属性データを検索した結果、いずれかの楽曲については該当する属性データが検索されなかったとする。その場合は図３に示すように、検索されたタイトルデータが表すタイトル情報から特定の属性を連想させる単語をキーワードとして抽出し、楽曲属性付与部１１１に対して出力することにより、キーワードの指定を行う。楽曲属性付与部１１１では、このキーワードに基づいて各楽曲の属性を決定し、その属性を表すための属性データを各音楽データに対して付与する。楽曲属性付与部１１１によって付与された属性データは、楽曲属性付与部１１１からＨＤＤ１３に対して出力され、ＨＤＤ１３において情報保存エリアに楽曲ごとに記録される。
【００２１】
以上説明したようにして、楽曲属性付与部１１１によって付与された属性データがＨＤＤ１３に楽曲ごとに記録される。なお、音声データとタイトルデータについては、図２と同様の方法で記録される。その結果、音声データ、タイトルデータおよび属性データがＨＤＤ１３に楽曲ごとに記録されることにより、これらのデータがＨＤＤ１３において記憶保持される。このよにして、ＣＤ／ＤＶＤドライブ１４にセットされた音楽ＣＤ１４１のリッピングが行われる。
【００２２】
なお、上記のようにタイトル情報からキーワードとして抽出される単語は、ナビゲーション装置１において予め設定されている。その一例を説明すると、特定の季節を連想させるような各種の単語を予め登録しておき、各楽曲のタイトル情報にそれらの単語のいずれかが含まれている場合は、その単語をキーワードとして抽出する。たとえば、春を連想させる単語として、「春」、「桜」、「恋」、「spring」、「pink」等を登録しておき、そのいずれかがトラック名としてタイトル情報に含まれている場合は、その単語をキーワードとして抽出する。同様に、夏を連想させる単語（「夏」、「海」、「太陽」、「熱」、「summer」、「sunshine」、「sea」、「hot」等）、秋を連想させる単語（「秋」、「赤」、「思い出」、「autumn」、「memory」等）、および冬を連想させる単語（「冬」、「雪」、「夜空」、「winter」、「snow」等）をそれぞれ登録しておき、そのいずれかがタイトル情報に含まれていれば、その単語をキーワードとして抽出する。楽曲属性付与部１１１では、上記のようにして抽出された単語がキーワードとして指定されると、そのキーワードに対応するいずれかの季節を表す属性データをその楽曲に対して付与し、ＨＤＤ１３に対して出力する。
【００２３】
以上説明したような特定の季節を連想させる単語の他にも、様々な単語をキーワードとして登録し、それによって様々な属性データを楽曲属性付与部１１１において各楽曲に付与することができる。たとえば、特定の地理的または地域的特徴を連想させる単語（「山」、「海」等）や、特定の道路種別を連想させる単語（「ハイウェイ」、「スピード」等）をキーワードとして登録しておけば、そのキーワードに基づいて、地理的・地域的特徴を表す属性データや、道路種別を表す属性データを付与することができる。あるいは、特定のアーティスト名をキーワードとして登録しておき、そのアーティスト名がタイトル情報に含まれている場合には、そのアーティストが連想させるイメージに合致する内容の属性データを付与することもできる。
【００２４】
なお、音楽ＣＤによっては、ＴＯＣデータのほかにＣＤ−ＴＥＸＴと呼ばれる付加データが記録されている場合がある。ＣＤ−ＴＥＸＴデータには、その音楽ＣＤのタイトルデータに相当する内容、すなわち各楽曲のトラック名やアルバム名、アーティスト名などが表されている。したがって、ＣＤ−ＴＥＸＴデータが記録されている音楽ＣＤの場合には、タイトルデータベース１３１において該当するタイトルデータをＴＯＣデータに基づいて検索しなくてもよい。
【００２５】
図４は、ＣＤ−ＴＥＸＴデータが記録されている音楽ＣＤ１４１がセットされたときに、そのＣＤ−ＴＥＸＴデータから指定されるキーワードを用いて、音楽ＣＤ１４１の各楽曲に該当する属性データを楽曲属性付与部１１１によって付与する場合のデータの流れを示している。この場合は、タイトルデータベース１３１を使用せずに、音楽ＣＤ１４１に記録されているＣＤ−ＴＥＸＴデータを用いて、各楽曲のタイトルデータをＨＤＤ１３に記録する。
【００２６】
また、そのＣＤ−ＴＥＸＴデータから、図３と同様にして属性を特定するためのキーワードとなる単語を楽曲ごとに抽出し、それを楽曲属性付与部１１１に対して出力することにより、キーワードを指定する。これにより、楽曲属性付与部１１１においてキーワードに基づいて各楽曲の属性が決定され、属性データが付与される。そして、ＨＤＤ１３の情報保存エリアに、付与された属性データが楽曲ごとに記録される。なお、音声データについては、図２および図３で説明したのと同様に、音楽ＣＤ１４１から直接ＨＤＤ１３に記録される。その結果、音声データ、タイトルデータおよび属性データがＨＤＤ１３に楽曲ごとに記録されることにより、これらのデータがＨＤＤ１３において記憶保持される。このようにして、ＣＤ／ＤＶＤドライブ１４にセットされた音楽ＣＤ１４１のリッピングが行われる。
【００２７】
なお、タイトルデータベース１３１において該当するタイトルデータがＴＯＣデータに基づいて検索されず、さらに、音楽ＣＤにＣＤ−ＴＥＸＴデータが記録されていない音楽ＣＤについては、以上説明したいずれの方法によってもタイトルデータと属性データを得ることができない。したがって、そのような音楽ＣＤについては、各楽曲の音声データのみがＨＤＤ１３に記録され、タイトルデータと属性データは記録されない。
【００２８】
本実施形態のナビゲーション装置１において実行される処理のフローチャートを図５および図６に示す。図５は、音楽ＣＤを録音するとき、すなわち上記で説明したリッピング処理を実行するときのフローチャートである。図６は、ＨＤＤ１３に記録された音楽データから自動的に選曲して再生するモード（自動選曲モード）において実行されるフローチャートである。なお、これらのフローチャートはいずれも制御部１１２によって実行される。以下、図５のフローチャートから先に説明する。
【００２９】
図５のステップＳ１０では、ＣＤ／ＤＶＤドライブ１４に音楽ＣＤが挿入されたか否かを判定する。音楽ＣＤが挿入されると次のステップＳ２０へ進む。ステップＳ２０では、タイトルデータの検索を行う。このとき、音楽ＣＤにＣＤ−ＴＥＸＴデータが記録されている場合は、そのＣＤ−ＴＥＸＴデータをタイトルデータとして用いる。ＣＤ−ＴＥＸＴデータが記録されていない場合は、音楽ＣＤからＴＯＣデータを読み取り、そのＴＯＣデータに基づいて、タイトルデータベース１３１から該当するタイトルデータを検索する。
【００３０】
ステップＳ３０では、ステップＳ２０のタイトルデータの検索結果に基づいて、挿入された音楽ＣＤの各楽曲に該当するタイトルデータが存在するか否かを判定する。タイトルデータが存在する場合、すなわちステップＳ２０において上記のいずれかの方法によってタイトルデータが得られた場合は、ステップＳ４０へ進む。一方、タイトルデータが存在しない場合、すなわちステップＳ２０において上記のいずれの方法によってもタイトルデータが得られなかった場合は、ステップＳ７０へ進む。
【００３１】
ステップＳ４０では、ステップＳ２０で検索されたタイトルデータをＨＤＤ１３の情報保存エリアに記録して保存する。このとき、音楽ＣＤの各楽曲ごとにタイトルデータを記録する。次のステップＳ５０では、ステップＳ２０で検索されたタイトルデータに基づいて、属性データベース１３２から該当する属性データを検索する。
【００３２】
ステップＳ６０では、ステップＳ５０の属性データの検索結果に基づいて、挿入された音楽ＣＤの各楽曲に該当する属性データが存在するか否かを判定する。属性データが存在する場合、すなわちステップＳ５０において属性データが属性データベース１３２から検索された場合は、ステップＳ７０へ進む。一方、属性データが存在しない場合、すなわちステップＳ５０において属性データが属性データベース１３２から検索されなかった場合は、ステップＳ６１へ進む。
【００３３】
ステップＳ６１では、ステップＳ２０で検索されたタイトルデータから、予め設定された前述したようなキーワードの抽出を各楽曲ごとに行う。次のステップＳ６２では、ステップＳ６１で抽出されたキーワードに基づいて、楽曲属性付与部１１１により、各楽曲の属性をそれぞれ決定し、それに応じた属性データを音声データに対して付与する。この属性データは、制御部１１２の制御により、楽曲属性付与部１１１からＨＤＤ１３へと出力される。なお、いずれのキーワードも含まれていない楽曲に対しては属性データが付与されない。ステップＳ６２を実行したら、ステップＳ７０へ進む。
【００３４】
ステップＳ７０では、ステップＳ５０で検索された属性データ、またはステップＳ６２で楽曲属性付与部１１１によって付与された属性データを、ＨＤＤ１３の情報保存エリアに記録して保存する。このとき、音楽ＣＤの各楽曲ごとに属性データを記録する。次のステップＳ８０では、音楽ＣＤに記録されている音声データをＨＤＤ１３の情報保存エリアに記録して保存する。このとき、音楽ＣＤの各楽曲ごとに音声データを記録する。ステップＳ８０を実行したら、図５のフローチャートを終了する。以上説明したようにして、音楽ＣＤのリッピングを行う。
【００３５】
次に図６のフローチャートについて説明する。図６のステップＳ１１０では、ナビゲーション装置１において、ＨＤＤ１３に記録された音楽データに基づいて楽曲を自動的に選曲し再生する自動選曲モードがユーザによって選択されているか否かを判定する。自動選曲モードが選択されている場合は、次のステップＳ１２０へ進む。なお、自動選曲モードの選択は、入力操作部１０３をユーザが操作することで行うことができる。
【００３６】
ステップＳ１２０では、楽曲を選択するための環境情報を取得する。ここで取得される環境情報の種類は、属性データとして記録されている情報の種類に応じて決定される。たとえば、属性データとして季節の情報が記録されていれば、現在の日付を環境情報として取得する。あるいは、属性データとして地理的・地域的特徴が記録されていれば、現在車両が走行している地域の地理的・地域的特徴を地図データから取得する。これ以外にも、属性データの内容に応じた様々な環境情報を取得することができる。
【００３７】
ステップＳ１３０では、ステップＳ１２０で取得した環境情報に基づいて、その環境情報の内容に対応する属性データが記録されている楽曲をＨＤＤ１３から抽出することにより、再生すべき楽曲をリスト化した再生リストを作成する。たとえば、環境情報として取得した現在の日付が春の季節に該当すれば、属性データの内容が春に該当する全ての（または一定数以下の）楽曲をＨＤＤ１３から抽出し、その各楽曲を再生リストに登録する。次のステップＳ１４０では、ステップＳ１３０で作成された再生リストに従って、ＨＤＤ１３に記録された音声データを再生する。これにより、現在の状況に適した楽曲が自動的に選曲されて再生出力される。
【００３８】
ステップＳ１５０では、自動選曲モードが継続中であるか否かを判定する。継続中であれば次のステップＳ１６０へ進む。しかし、自動選曲モードが継続中でない場合、すなわちユーザが他の音楽再生モードをこの時点で選択していた場合は、図６のフローチャートを終了し、そのモードにしたがって楽曲を再生する。
【００３９】
ステップＳ１６０では、イベント発生の監視を行い、次のステップＳ１７０では、ステップＳ１６０の監視結果により、イベントが発生したか否かを判断する。イベントが発生した場合はステップＳ１８０へ進み、発生していない場合はステップＳ２００へ進む。なお、ここでいうイベントの発生とは、ある特定の属性の楽曲を優先的に再生出力すべき状況となることを表している。たとえば、現在地検出部１０２によって検出される現在地と地図データとを照合することにより、自車両が特定の属性を有する地点に位置しているか否かを判定する。特定の属性を有する地点の具体例としては、たとえば、海岸付近のように特定の地理的・地域的特徴を有する地点や、高速道路のように特定の道路上の地点などがある。このような条件に該当する場合は、イベントが発生したとステップＳ１７０において判断する。
【００４０】
ステップＳ１８０では、ステップＳ１７０において判断された発生イベントに関連する属性を特定する。次のステップＳ１９０では、ステップＳ１８０で特定された属性に該当する属性データを有する楽曲をＨＤＤ１３から抽出し、ステップＳ１３０で作成された再生リストに加える。たとえば、現在地が前述のように特定の地理的・地域的特徴を有する地点に該当する場合や、特定の道路種別に該当する場合は、属性データの内容がそれに合致する楽曲をＨＤＤ１３から抽出し、再生リストにそれぞれ登録する。これにより、ステップＳ１３０において既に作成された再生リストの内容に関わらず、発生したイベントに適した楽曲が優先的に再生出力される。
【００４１】
ステップＳ２００では、ステップＳ１３０において作成され、さらに必要に応じてステップＳ１９０において発生イベントに適した楽曲が加えられた再生リストの各楽曲が、全て再生出力されることにより、その再生リストが終了したか否かを判定する。再生リストが終了した場合はステップＳ１２０へ戻り、再び環境情報をステップＳ１２０において取得した後、新たに再生リストをステップＳ１３０において作成する。一方、再生リストがまだ終了していない場合はステップＳ１４０へ戻り、その再生リストの各楽曲の音声データをステップＳ１４０において再生する。以上説明したようにして、ＨＤＤ１３に記録された音楽データから自動的に選曲して再生する。
【００４２】
以上説明した実施の形態によれば、次の作用効果が得られる。
（１）音楽ＣＤから音楽データを楽曲単位でＨＤＤ１３に記録するときに、楽曲属性付与部１１１により、音楽ＣＤから読み込まれたＴＯＣデータまたはＴＥＸＴデータに基づいて各楽曲の属性を決定し、その属性を表すための属性データを音楽データに対して付与する（ステップＳ６２）。この属性情報に基づいて再生すべき楽曲を選択することにより、再生リストの作成（ステップＳ１３０）および追加（ステップＳ１９０）を行うこととした。このようにしたので、音楽ＣＤから取り込んだ音楽データに対して属性データを設定するときに、楽曲の内容を人が判断することなく、手間をかけずにその属性を決定することができる。
【００４３】
（２）音楽ＣＤから読み込まれたＴＯＣデータまたはＴＥＸＴデータに基づいてタイトル情報を取得し（ステップＳ２０）、そのタイトル情報に特定の属性を連想させる予め設定されたキーワードが含まれる場合は、そのキーワードを抽出し（ステップＳ６１）、それに基づいて属性を決定する（ステップＳ６２）こととした。このようにしたので、楽曲のタイトルに適した属性とすることができる。
【００４４】
（３）上記のキーワードとして、特定の季節を連想させる単語を用いることとすれば、いずれかの季節を表す属性データを各楽曲に対して付与することができる。
【００４５】
（４）音楽ＣＤから読み込まれた音楽データのうち、その楽曲の属性データが属性データベース１３２において記録されている音楽データに対しては、属性データベース１３２に記録されている属性データを付与する（ステップＳ６０）。一方、その楽曲の属性データが属性データベース１３２において記録されていない音楽データに対しては、楽曲属性付与部１１１により決定された属性に応じた属性データを付与することとした（ステップＳ６０）。このようにしたので、予め記録されたデータベースを用いて精度の高い属性データを各楽曲に設定できるとともに、データベースに属性データが記録されていない楽曲についても、属性データを設定することができる。
【００４６】
（５）ステップＳ１６０におけるイベント発生の監視、およびステップＳ１７０におけるイベント発生の有無の判断において、自車両の現在地と地図データとを照合することにより、自車両が特定の属性を有する地点に位置しているか否かを判断することができる。そして、特定の属性を有する地点に位置していると判断した場合は、その特定の属性と、ＨＤＤ１３に記録されている属性データとに基づいて、ステップＳ１９０において再生すべき楽曲を選択することができる。このようにすれば、自車両の走行地点に応じた楽曲を優先的に再生出力することができる。
【００４７】
（６）上記の特定の属性を有する地点を、特定の地理的・地域的特徴を有する地点、または特定の道路上の地点とすれば、それらの条件に応じた楽曲を優先的に再生出力することができる。
【００４８】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録媒体に記憶された音楽データを読み取ることができる。さらに、ラジオやテレビからのアナログ音声信号を取り込み、アナログ・デジタル変換を行ってデータ化した後にＨＤＤへ書き込むようにしてもよい。
【００４９】
また、上記の実施の形態ではナビゲーション装置と組み合わせた例を説明したが、ナビゲーション機能を有さない各種の車載情報端末、たとえばカーオーディオ装置などにおいても、本発明は適用可能である。さらに、車載の装置でなくても適用することができる。
【００５０】
以上説明した各実施の形態や各種の変形例はあくまで一例であり、発明の特徴が損なわれない限り、本発明はこれらの内容に限定されない。
【００５１】
上記の実施の形態では、属性決定手段および属性付与手段を楽曲属性付与部１１１によって実現している。また、楽曲選択手段とタイトル情報取得手段を制御部１１２の処理によって実現しており、具体的には、楽曲選択手段をステップＳ１３０およびＳ１９０、タイトル情報取得手段をステップＳ２０によってそれぞれ実現している。なお、以上の説明はあくまで一例であり、発明を解釈する際、上記の実施形態の記載事項と特許請求の範囲の記載事項の対応関係には何ら限定も拘束もされない。
【図面の簡単な説明】
【００５２】
【図１】本発明の一実施形態による音楽データ記憶再生機能付き車載ナビゲーション装置の構成を示す図である。
【図２】ＨＤＤに記録されているデータベースからタイトルデータおよび属性データを取得して記録する場合のデータの流れを示す図である。
【図３】タイトルデータベースにおいて検索されたタイトルデータから指定されるキーワードを用いて属性データを付与する場合のデータの流れを示す図である。
【図４】ＣＤ−ＴＥＸＴデータから指定されるキーワードを用いて属性データを付与する場合のデータの流れを示す図である。
【図５】音楽ＣＤを録音するときのフローチャートである。
【図６】自動選曲モードにおいて実行されるフローチャートである。
【符号の説明】
【００５３】
１  ナビゲーション装置
２  オーディオ装置
１０  ナビゲーション部
１１  音楽データ記録再生部
１２  モニタ
１３  ＨＤＤ
１４  ＣＤ／ＤＶＤドライブ
１０１  演算処理部
１０２  現在地検出部
１０３  入力操作部
１１１  楽曲属性付与部
１１２  制御部
１１３  再生出力部
１３１  タイトルデータベース
１３２  属性データベース
【図１】
2006331496.tif 000003
【図２】
2006331496.tif 000004
【図３】
2006331496.tif 000005
【図４】
2006331496.tif 000006
【図５】
2006331496.tif 000007
【図６】
2006331496.tif 000008